(57)【要約】      （修正有）【課題】ＬＣＤバックライトなどの照明システムで使用する光フィードバックシステムが、混合光における「可視赤色」波長の強度を十分に測定しないという問題点のない装置を提供する。【解決手段】一実施形態では、第１のスペクトルを有する光が混合光からフィルタリングされ、第１のスペクトルとは異なる第２のスペクトルを有する光も混合光からフィルタリングされる。その後、第１のスペクトルを有する光の強度および第２のスペクトルを有する光の強度が検出される。第１および第２のスペクトルを有する光の検出された強度から、第３のスペクトルを有する光の強度が推定される。【選択図】図３
2008249687.tif 000002
【特許請求の範囲】
【請求項１】
第１の透過特性を有する第１の光フィルタと、
前記第１の透過特性とは異なる第２の透過特性を有する第２の光フィルタと、
ｉ）前記第１の光フィルタを通過する光波長の強度と、ｉｉ）前記第２の光フィルタを通過する光波長の強度とを検出するように配置された少なくとも１つのフォトセンサと、
ｉｉ）前記第１および第２の光フィルタを通過する光波長の強度を受け取り、該強度に対してアルゴリズムを適用することにより、ｉ）帯域通過フィルタの出力を合成する色推定システムと、
を備えている装置。
【請求項２】
前記第１の透過特性は、第１の値よりも短い波長を有する光を除去し、
前記第２の透過特性は、第２の値よりも短い波長を有する光を除去する、
請求項１に記載の装置。
【請求項３】
前記第１の値が実質的に６３０ナノメートルであり、前記第２の値が実質的に６７０ナノメートルである、請求項２に記載の装置。
【請求項４】
前記第１の値が６２０〜６５０ナノメートルであり、前記第２の値が６５０〜６８０ナノメートルである、請求項２に記載の装置。
【請求項５】
前記第１の値および前記第２の値が可視赤色光スペクトルを実質的に境界付ける、請求項２に記載の装置。
【請求項６】
前記第１の値および前記第２の値は、可視赤色光スペクトルの少なくとも一部を含む光波長の範囲を境界付ける、請求項２に記載の装置。
【請求項７】
前記アルゴリズムが減算を備えている、請求項２に記載の装置。
【請求項８】
前記第１および第２の透過特性が長い波長カットオフを有していない、請求項２に記載の装置。
【請求項９】
前記第１および第２の透過特性とは異なる第３の透過特性を有する第３の光フィルタを更に備え、
前記少なくとも１つのフォトセンサのうちの１つは、前記第３の光フィルタを通過する光波長の強度を検出するように配置され、
前記色推定は、前記第３の光フィルタを通過する光波長の強度を更に受け取り、該強度に対してアルゴリズムを適用することにより、前記帯域通過フィルタの出力を合成する、
請求項２に記載の装置。
【請求項１０】
前記第３の透過特性は、第３の値よりも短く且つ第４の値よりも長い波長を有する光を除去し、該第３および第４の値によって境界付けられる光波長の範囲は、前記第１および第２の値によって境界付けられる光波長のうちの少なくとも一部を含む、請求項９に記載の装置。
【請求項１１】
前記第３の光フィルタが緑色光フィルタであり、前記第１の値および前記第２の値は、可視赤色光スペクトルの少なくとも一部を含む光波長の範囲を境界付ける、請求項１０に記載の装置。
【請求項１２】
前記アルゴリズムが減算を備えている、請求項１に記載の装置。
【請求項１３】
前記第１および第２の透過特性が赤色光波長の異なる範囲に実質的に限定される、請求項１に記載の装置。
【請求項１４】
前記帯域通過フィルタの合成された出力に応答して、混合光中の他の光と共に前記第１および第２の光フィルタを照明する赤色光源を調整するための信号を生成する制御システムを更に備えている、請求項１に記載の装置。
【請求項１５】
緑色光フィルタと、
青色光フィルタと、
前記緑色光フィルタを通過する光波長の強度を検出するように配置された緑色フォトセンサと、
前記青色光フィルタを通過する光波長の強度を検出するように配置された青色フォトセンサと、
前記緑色光フィルタおよび青色光フィルタのそれぞれを通過する光波長の強度にそれぞれ応答して、少なくとも前記緑色光フィルタおよび前記青色光フィルタのそれぞれを照明する緑色光源および青色光源を調整するための信号を生成する制御システムと、
を更に備えている、請求項１４に記載の装置。
【請求項１６】
前記赤色、緑色および青色光源を更に備え、前記赤色、緑色および青色光源が赤色、緑色、および青色固体発光素子を備えている、請求項１５に記載の装置。
【請求項１７】
前記赤色、緑色および青色光源を更に備え、前記赤色、緑色および青色光源が少なくとも赤色、緑色、および青色発光ダイオードを備えている、請求項１５に記載の装置。
【請求項１８】
前記第１の光フィルタが黄色光フィルタであり、前記第２の光フィルタが赤色光フィルタである、請求項１に記載の装置。
【請求項１９】
前記第１の光フィルタがオレンジ光フィルタであり、前記第２の光フィルタが赤色光フィルタである、請求項１に記載の装置。
【請求項２０】
前記少なくとも１つのフォトセンサの各々がフォトダイオードを備えている、請求項１に記載の装置。
【請求項２１】
前記少なくとも１つのフォトセンサが、
前記第１の光フィルタを通過する光波長の強度を検出する第１のフォトセンサと、
前記第２の光フィルタを通過する光波長の強度を検出する第２のフォトセンサと、
を備えている、請求項１に記載の装置。
【請求項２２】
透過特性を有する光フィルタと、
前記光フィルタを通過する光波長の強度を検出するように配置されたフォトセンサと、
前記光フィルタを通過する光波長の強度を受け取り、該強度に応答して、前記光フィルタの透過特性と重なり合うが該透過特性に対してシフトされるスペクトルを有する光の強度を推定する色推定システムと、
を備えている装置。
【請求項２３】
前記光フィルタの透過特性と重なり合うが該透過特性に対してシフトされる前記スペクトルは、可視赤色光波長に実質的に限定される、請求項２２に記載の装置。
【請求項２４】
前記可視赤色光波長の推定強度に応答して、混合光中の他の光と共に前記光フィルタを照明する赤色光源を調整するための信号を生成する制御システムを更に備えている、請求項２３に記載の装置。
【請求項２５】
前記色推定システムは、前記光フィルタを通過する光波長の強度を使用して、前記光フィルタの透過特性と重なり合うが該透過特性に対してシフトされるスペクトルを有する光の強度を特定するテーブルを索引付ける、請求項２２に記載の装置。
【請求項２６】
第１のスペクトルを有する光を混合光からフィルタリングするステップと、
前記第１のスペクトルとは異なる第２のスペクトルを有する光を前記混合光からフィルタリングするステップと、
前記第１のスペクトルを有する光の強度および前記第２のスペクトルを有する光の強度を検出するステップと、
前記第１および第２のスペクトルを有する光の強度から、第３のスペクトルを有する光の強度を推定するステップと、
を含む方法。
【請求項２７】
前記第３のスペクトルが前記混合光の可視赤色波長に実質的に限定される、請求項２６に記載の方法。
【請求項２８】
前記第３のスペクトルを有する光の強度を推定するステップが、前記第１のスペクトルを有する光の強度から前記第２のスペクトルを有する光の強度を差し引くステップを含む、請求項２６に記載の方法。
【請求項２９】
前記第３のスペクトルを有する光の強度を推定するステップが、前記第１のスペクトルを有する光の強度と前記第２のスペクトルを有する光の強度とを使用して、前記第３のスペクトルを有する光の強度を特定するテーブルを索引付けるステップを含む、請求項２６に記載の方法。
【請求項３０】
第１のスペクトルを有する光を混合光からフィルタリングするステップと、
前記第１のスペクトルを有する光の強度を検出するステップと、
前記第１のスペクトルを有する光の強度から、第２のスペクトルを有する光の強度を推定するステップであって、該第２のスペクトルは前記第１のスペクトルと重なり合うが該第１のスペクトルからシフトされる、ステップと、
を含む方法。
【請求項３１】
前記第２のスペクトルが前記混合光の可視赤色波長に実質的に限定される、請求項３０に記載の方法。
【請求項３２】
前記第２のスペクトルを有する光の強度を推定するステップが、前記第１のスペクトルを有する光の強度を使用して、前記第２のスペクトルを有する光の強度を特定するテーブルを索引付けるステップを含む、請求項３０に記載の方法。
【発明の詳細な説明】
【背景技術】
【０００１】
液晶ディスプレイ（ＬＣＤ）バックライトなどの照明システムは、時として、赤色、緑色および青色（ＲＧＢ）発光ダイオード（ＬＥＤ）を備える。同時に、ＲＧＢ  ＬＥＤは、混合光（例えば、ＬＣＤバックライトの場合には、白色光）を生成するために使用できる。
【０００２】
システム製造変化、動作状態、ＬＥＤ経年変化および他の要因により、照明システムの個々のＬＥＤの強度および色がドリフトする可能性がある。その結果、ＬＥＤ照明システムによって生成される混合光の強度及び／又はカラーポイントを測定するために、１つ以上のフォトセンサを使用する光フィードバックシステムがしばしば用いられる。この場合、フィードバックシステムの出力は、駆動信号を調整するため、したがって、照明システムの個々のＬＥＤまたはＬＥＤ群の強度を調整するために使用される。
【発明を実施するための最良の形態】
【０００３】
本発明の例示的な実施形態が図面に示されている。
【０００４】
前述したように、ＬＣＤバックライトなどの照明システムは、時として、ＲＧＢ  ＬＥＤを備える。同時に、ＲＧＢ  ＬＥＤは、混合光（たとえば、ＬＣＤバックライトの場合には、白色光）を生成するために使用することができる。
【０００５】
システム製造変化、動作状態、ＬＥＤ経年変化および他の要因により、照明システムの個々のＬＥＤの強度および色がドリフトする可能性がある。その結果、ＬＥＤ照明システムによって生成される混合光の強度及び／又はカラーポイントを測定するために、１つ以上のフォトセンサを使用する光フィードバックシステムがしばしば用いられる。この場合、フィードバックシステムの出力は、駆動信号を調整するため、したがって、照明システムの個々のＬＥＤまたはＬＥＤ群の強度を調整するために使用される。
【０００６】
従来の光フィードバックシステムに伴う問題点は、それらのシステムが混合光における「可視赤色」波長の強度を十分に測定しないという点である。これは、混合光の赤色波長をフィルタで除去するために使用される色素が、赤外線（ＩＲ）波長などの長い「非可視赤色」波長を遮断しないからである。
【０００７】
図１は、混合光（λ）を生成するための光源１０２を備える典型的なシステム１００を示している。しばし、ＩＲフィルタ１１２（ＦＩＲ）が存在しないと仮定すると、混合光（λ）は、混合光の赤色波長、緑色波長および青色波長（λR，λG，λB）だけをそれぞれ通過させる複数のフィルタ１１０、１１２、１１４（ＦＲ，ＦＧ，ＦＢ）に入射する。その後、混合光のフィルタ処理された赤色波長、緑色波長および青色波長（λR，λG，λB）は、赤色波長、緑色波長および青色波長の強度をそれぞれ検出するように配置された赤色、緑色、および青色フォトセンサ１１６、１１８、１２０（ＰＳR，ＰＳG，ＰＳB）のそれぞれに入射する。フォトセンサ１１６、１１８、１２０によって生成された信号１２２は、所望の強度及び／又はカラーポイントの混合光を生成するために赤色波長、緑色波長、および青色波長の強度を調整する必要があるかどうかを決定するために制御システム１２４によって使用される。その後、光源１０２の様々な要素の光出力を調整するために適切な駆動信号１２６が供給される。例えば、光源１０２が赤色（Ｒ）、緑色（Ｇ）、および青色（Ｂ）ＬＥＤ１０４、１０６、１０８を備える場合、制御システム１２４は、ＲＧＢ  ＬＥＤのうちの異なる色のＲＧＢ  ＬＥＤのために異なる駆動信号を供給することができる。
【０００８】
図２は、システム１００（図１）によって検出されることができる典型的なＲＧＢ光強度のグラフを示している。注目すべき点は、各フォトセンサ１１６、１１８、１２０が、光波長の特定の範囲内に入る光の総強度を示す信号を生成する点である。したがって、例えば、図１に示される赤色、緑色、および青色フォトセンサ１１６、１１８、１２０は、図２に示されるグラフのＲ、Ｇ、およびＢ「ハンプ（こぶ）」内の光の総強度に対応するそれぞれの信号を生成することができる。しかしながら、一般的な色素ベースの赤色フィルタ１１０を使用すると、該赤色フィルタ１１０を通過する光の波長に上限がないことに留意されたい。そのため、図２のグラフにおけるＲ「ハンプ」は閉じられない。この閉じられないハンプは、赤色フィルタが一般に可視光帯域を越える赤色波長の通過を許容するという事実を示している。これは、光フィードバックシステムが一般に照明システムによって生成される「可視」光を検出して調整する必要があるという点で問題である。
【０００９】
前述の問題に対する１つの解決策は、混合光からのＩＲ波長をフィルタ処理することである。したがって、システム１００（図１）は、この目的のために使用されることができるＩＲフィルタ１２８（ＦIR）を示している。ＩＲフィルタ１２８は、赤色フィルタ１１０と協働して、図２に示されるＲ「ハンプ」を閉じる役目を果たす。
【００１０】
図２に示されるように、ＩＲフィルタ１２８の性質は、他の波長（緑色波長など）の強度のクリッピングをもたらすことができる。しかしながら、更に注目に値すべき点は、多くの場合、ＩＲフィルタ１２８がガラスから形成されており、これが光フィードバックシステムに対してコストおよび高さの両方を付加する点である。
【００１１】
図３は、システム１００の第１の典型的な代替手段を示している。システム３００では、ＩＲフィルタ１２８が排除されており、代わりに、第２の赤色フィルタ３０２（ＦR2）および対応するフォトセンサ３０４（ＰＳR2）が含まれている。第２の赤色フィルタ３０２は、混合光（λ）を受けて、混合光の赤色波長（λR2）だけを通過させる。しかしながら、第２の赤色フィルタ３０２の透過特性は第１の赤色フィルタ１１０のそれとは異なり、そのため、第２の赤色フィルタ３０２を通過する赤色波長（λR2）の範囲は、第１の赤色フィルタ１１０を通過する赤色波長（λR）の範囲とは異なる。注目すべき点は、両方の赤色フィルタ１１０、３０２がオープンエンドフィルタ（すなわち、各フィルタは、その範囲の一端にある光波長をフィルタ除去し或いは取り除くだけである）であるという点である。
【００１２】
フォトセンサ３０４は、第２の赤色フィルタ３０２を通過する赤色波長の強度を検出するように配置されている。この場合、色推定及び／又は制御システム３０６は、緑色フォトセンサおよび青色フォトセンサ１１８、１２０から信号１２２を受けるとともに、光源１０２の緑色素子および青色素子１０６、１０８を従来の方法で調整するために駆動信号１２６を生成する。しかしながら、色推定及び／又は制御システム３０６は、（１）第１および第２の赤色フォトセンサ１１６、３０４によって検出される第１および第２の赤色光波長（λR，λR2）の強度に対応する信号１２２を受けた後、および（２）第１および第２の赤色光波長（λR，λR2）の強度を受けてそれに対してアルゴリズムを適用することにより可視赤色光のための帯域通過フィルタの出力を合成することによって、光源１０２の赤色素子１０４を調整するための駆動信号１２６を生成する。
【００１３】
図４に示されるように、第１の赤色フィルタ１１０の透過特性は、第１の値よりも短い波長を有する光を除去し、また、第２の赤色フィルタ３０２の透過特性は、第２の値よりも短い波長を有する光を除去する。第１および第２の値が可視赤色光スペクトルをほぼ規定する波長範囲を境界付けるようにフィルタ１１０、３０２が選択される場合、色推定及び／又は制御システム３０６は、第１の赤色光波長（λR）の強度から第２の赤色光波長（λR2）の強度を差し引くことにより可視赤色光波長の強度を推定してもよい。システム３００の１つの実施形態において、「第１の値」は、６２０〜６５０ナノメートル（好ましくは、約６３０ナノメートル）の光波長において、第１の赤色フィルタ１１０の透過特性における下側のカットオフを規定する。同様に、「第２の値」は、６５０〜６８０ナノメートル（好ましくは、約６７０ナノメートル）の光波長において、第２の赤色フィルタ３０２の透過特性における下側のカットオフを規定してもよい。
【００１４】
システム３００（図３）の幾つかの実施形態において、第１および第２の赤色フィルタ１１０、３０２は、それらの透過特性の下側カットオフが可視赤色光スペクトルを境界付けないがその代わりに可視赤色光スペクトルの一部だけを境界付けるように選択されてもよい。あるいは、２つのフィルタ１１０、３０２の下側カットオフは、可視赤色光スペクトルの一部または全部、および、オレンジや黄色波長などの他の光波長を境界付けてもよい。これらの実施形態において、システム３００は、フィルタ１１０、３０２の下側カットオフが可視赤色光スペクトルのみを境界付けるシステムと同じ精度で可視赤色光スペクトルの強度を推定することができない場合がある。しかしながら、この段落に記載されたシステムは、一部の用途で赤色光源を調整するのに十分正確であればよい。
【００１５】
図５は、システム１００の第２の典型的な代替手段を示している。システム５００では、ＩＲフィルタ１２８が排除されており、代わりに、黄色またはオレンジフィルタ５０２（ＦY）および対応するフォトセンサ５０４（ＰＳY）が含まれている。黄色（またはオレンジ）フィルタ５０２は、混合光（λ）を受けるとともに、混合光の赤色光波長の範囲に加えて、黄色及び／又はオレンジ光波長（λY）の範囲を含む光波長の範囲を通過させる。フォトセンサ５０４（ＰＳY）は、フィルタ５０２を通過する光波長の強度を検出するように配置されている。この場合、色推定及び／又は制御システム５０６は、緑色フォトセンサおよび青色フォトセンサ１１８、１２０から信号１２２を受けるとともに、光源１０２の緑色素子および青色素子１０６、１０８を従来の方法で調整するために駆動信号１２６を生成する。しかしながら、色推定及び／又は制御システム５０６は、（１）赤色光フォトセンサおよび黄色光フォトセンサ１１６、５０４によって検出される赤色光波長および黄色光波長（λR，λY）の強度に対応する信号１２２を受けた後、（２）赤色光波長および黄色光波長の両方の強度に応じて（ある場合には、緑色フォトセンサ１１８により検出される緑色光波長（λG）の強度に応じて）混合光（λ）の可視赤色波長の強度を推定することによって、光源１０２の赤色素子１０４を調整するための駆動信号１２６を生成する。
【００１６】
図６は、図５に示されるフィルタ１１６、１１８、１２０、５０４における典型的な応答の第１のセットを示している。図６では、フィルタ１１６、１１８、１２０、５０４が色素ベースのフィルタであると仮定する。図７は、フィルタ１１６、１１８、１２０、５０４における典型的な応答の第２のセットを示している。図７では、フィルタ１１６、１１８、１２０、５０４のうちの１つ以上が干渉型フィルタであると仮定する。図６および図７に示される典型的なフィルタ応答については以下で更に詳しく説明する。
【００１７】
図６に示されるように、色素ベースの黄色フィルタ５０２の透過特性は、一般に、第１の値よりも短い波長を有する光だけを除去する。この第１の値が黄色光波長である場合、黄色フィルタ５０２は、黄色光波長および可視・非可視赤色光波長の両方を通過させてもよい。黄色フィルタ５０２と同様に、色素ベースの赤色フィルタ１１０の透過特性は、第２の値よりも短い波長を有する光を除去してもよい。この第２の値が可視赤色光波長と非可視赤色光波長との間の境界またはその近傍の波長である場合、赤色フィルタ１１０は、非可視赤色光波長を通過させてもよい。黄色フィルタおよび赤色フィルタ５０２、１１０とは異なり、色素ベースの緑色フィルタおよび青色フィルタ１１２、１１４の透過特性（Ｇ，Ｂ）は、緑色光波長または青色光波長の範囲付近でほぼ閉じられてもよい。しかしながら、色素ベースの緑色フィルタおよび青色フィルタ１１２、１１４は、約７００ナノメートル付近で「開き」始めてもよい（すなわち、これらのフィルタが７００ナノメートル以上の光波長を通過させることができてもよい）。
【００１８】
黄色フィルタおよび赤色フィルタ５０２、１１０における下側の光カットオフを規定する第１および第２の値が、（ｉ）可視赤色光スペクトル内に入る光波長の少なくとも一部、および、（ｉｉ）緑色フィルタ１１２を通過する波長の少なくとも一部と重なり合う波長範囲（例えば、黄色波長）含む波長の範囲を境界付けるように選択される場合、色推定及び／又は制御システム５０６は、黄色フィルタ５０２、赤色フィルタ１１０および緑色フィルタ１１２を通過する光強度に対してアルゴリズムを適用することにより、可視赤色光スペクトルの強度を推定することができる。例えば、（１）赤色フィルタ１１０を通過する光波長の強度、および、（２）緑色フィルタ１１２を通過する光波長の強度の一部、の両方は、（３）黄色フィルタ５０２を通過する光波長の強度から差し引かれてもよい。このようにすると、緑色フィルタ１１２を通過する緑色光波長の強度を使用して、可視赤色光スペクトル内に入る波長よりも短い波長を通過させるフィルタ５０２を少なくとも部分的に補償することができる。あるいは、緑色フィルタ１１２が７００ナノメートルを越えて十分に「開く」場合には、黄色光波長の強度から赤色光波長の強度を差し引く必要がなくてよい。これは、７００ナノメートルを超える赤色波長の強度を含む緑色フィルタ１１２を通過する光波長の強度を差し引くことにより、黄色フィルタ５０２を通過する光波長の強度から非可視赤色光波長の強度が適切に除去され得るからである。
【００１９】
図７に示されるように、干渉型黄色フィルタの透過特性は、（単一の黄色波長とは対照的に）波長の閉じられた帯域の通過を可能にすることができる。波長のこの帯域（Ｙ）は、主に、波長の赤色帯域と緑色帯域との間にあってもよく、また、１つの場合では、約５６５〜５９０ナノメートルの範囲の波長を含んでもよい。しかしながら、波長（Ｙ）の帯域は、赤色波長（Ｒ）を含む波長の他の帯域とのかなりの重なり合いを有してもよい。その結果、実験及び／又はモデリングにより、赤色波長の検出された強度と黄色波長の検出された強度との間の関係が生み出されてもよく、この関係を使用して、混合光の「可視赤色」波長の強度が推定され（最終的に、光源の赤色素子（例えば、赤色ＬＥＤ）が調整され）てもよい。１つの実施形態において、色推定及び／又は制御システム５０６は、黄色および赤色フィルタ１１０、５０２を通過する光波長の強度を使用して、「Ｙ」帯域の波長の上側の波長カットオフと「Ｒ」帯域の波長の下側の波長カットオフとによってほぼ境界付けられる光スペクトルの強度を特定するテーブルを索引付けてもよい。他の実施形態において、色推定及び／又は制御システム５０６は、黄色および赤色フィルタ１１０、５０２を通過する光波長の強度を使用して、「Ｙ」帯域または「Ｒ」帯域のうちの一方または他方の方へと更にシフトされる光スペクトルの強度を特定するテーブルを索引付けてもよい。図６に関して説明したように、緑色光波長の強度を使用して、任意の前記推定強度を調整してもよい。
【００２０】
前記段落における技術は、可視赤色光波長の強度を決定することに対して特定の適用性を有しているが、これらの技術は、光波長の任意のスペクトルの強度を決定するために使用されてもよい。この点で、光検出装置は、一般に、第１の透過特性を有する第１の光フィルタと、第１の透過特性と異なる第２の透過特性を有する第２の光フィルタと備えてもよい。この場合には、（ｉ）第１の光フィルタを通過する光波長の強度、および、（ｉｉ）第２の光フィルタを通過する光波長の強度を検出するように１つ以上のフォトセンサを配置することができる。したがって、色推定システムは、第１および第２の光フィルタを通過する光強度を受け、それに応じて、（ｉｉ）第１および第２のフィルタを通過する光強度を受けてこれに対してアルゴリズムを適用することによって、（ｉ）帯域通過フィルタの出力を合成することができる。幾つかの実施形態では、他のフィルタによって検出された光の強度がアルゴリズムに組み入れられてもよい。
【００２１】
減算に加えて（あるいは、減算に代えて）、前記段落で述べたアルゴリズムは、例えば、加算、平均化、１つの以上の光強度にパーセンテージを乗じること、あるいは、１つ以上の光強度を使用して１つ以上のデータ値を検索することなど、他の演算を組み込んでいてもよい。色推定システムによって受けられた強度が組み合わされ、識別され、あるいは、使用される様式は、実施を望む特定の推定アルゴリズムによって決まる。
【００２２】
光を検出するための前述した装置に加え、以下の方法を使用して光スペクトルの強度を推定してもよい。最初に、第１のスペクトルを有する光と第２のスペクトルを有する光とが混合光からフィルタリングされてよい。その後、第１のスペクトルを有する光の強度と、第２のスペクトルを有する光の強度とが検出される。その後、第１および第２のスペクトルの検出された強度を使用して、第３のスペクトルを有する光の強度を推定することができる。
【００２３】
図８は、システム１００の第３の典型的な代替手段を示している。システム８００では、システム１００（図１）におけるＩＲフィルタ１２８が排除されており、黄色（またはオレンジ）フィルタ５０２（ＦY）および対応するフォトセンサ５０４（ＰＳY）が赤色フィルタ１１０および赤色フォトセンサ１１６に取って代えられている。この場合、色推定及び／又は制御システム８０２は、（１）フォトセンサ５０４によって検出される光の黄色またはオレンジ波長の強度に対応する信号１２２を受けた後、および（２）黄色波長だけの強度に応じて混合光（λ）の可視赤色波長の強度を推定することによって、光源１０２の赤色素子１０４を調整するための駆動信号１２６を生成する。
【００２４】
実験及び／又はモデリングにより、赤色波長の強度と黄色波長の強度との間の関係が生み出されてもよく、また、この関係をシステム８０２によって使用して、混合光の「可視赤色」波長の強度が推定され（最終的に、光源の赤色素子（例えば、赤色ＬＥＤ）が調整され）てもよい。
【００２５】
１つの実施形態において、色推定及び／又は制御システム８０２は、黄色フィルタ５０２を通過する光波長の強度を使用して、可視赤色光スペクトルの推定強度を特定するテーブルを索引付けてもよい。
【００２６】
黄色波長だけの検出強度に基づく赤色光源（または、混合光源の要素）の調整は、光の赤色波長および黄色波長の両方の検出強度に基づく赤色光源の調整と同じ精度を与えない場合があるが、黄色のみのシステムによって与えられる精度は、多くの場合、（１）許容でき、（２）光の赤色波長のみの検出強度に基づいて赤色光源を調整するシステムによって与えられる精度よりも良好であり、及び／又は、（３）光の赤色波長および黄色波長の両方の検出強度に基づいて赤色光源を調整するシステムよりも安価であり得る。
【００２７】
前記段落における技術は、可視赤色光波長の強度を決定することに対して特定の適用性を有しているが、これらの技術は、光波長の任意のスペクトルの強度を決定することに適用することができる。この点で、光検出装置は、（１）透過特性を有する光フィルタと、（２）光フィルタを通過する光波長の強度を検出するように配置されるフォトセンサと、（３）光フィルタを通過する光波長の強度を受け、それに応じて、光フィルタの透過特性と重なり合うが該透過特性に対してシフトされるスペクトルを有する光の強度を推定する色推定システムとを備えてもよい。
【００２８】
光を検出するための前述した装置に加え、以下の方法を使用して光スペクトルの強度を検出してもよい。最初に、第１のスペクトルを有する光が混合光からフィルタリングされてよい。その後、第１のスペクトルを有する光の強度が検出されてもよく、また、第１のスペクトルを有する光の強度に基づいて光の第２のスペクトルの強度が推定されてもよい。第２のスペクトルは、第１のスペクトルと重なり合うが、第１のスペクトルからシフトされる。
【００２９】
本明細書で説明したフォトセンサは、フォトダイオードまたはフォトトランジスタの形態を含む様々な形態をとることができる。システムの全てのフォトセンサは、共通の製造プロセスを使用して単一の基板上に並行して（すなわち、同時に）形成されることが好ましい。
【００３０】
本明細書で説明したフィルタも、様々な形態をとってもよいが、１つ以上のフォトセンサが形成される１つの基板上にコーティングとして適用されることが好ましい。あるいは、フィルタは、１つ以上のガラスまたはプラスチックプレート上に形成されてもよく、または、カラーホイール内に含まれてもよい。後者の場合には、カラーホイールが単一のフォトセンサに対して移動されてもよく、また、単一のフォトセンサが光の様々な色の波長の強度を交互に検出してもよい。
【００３１】
本明細書で説明した光源（時として、他の光源の部品または要素の形態をとってもよい）は、ＬＥＤまたはレーザダイオードなどの固体光源の形態をとってもよい。あるいは、これらの光源は、白熱光源、蛍光光源または他の光源の形態を成してもよい。
【００３２】
一例として、色推定及び／又は制御システム３００、５００、８００は単一構造として示されている。しかしながら、それらの機能は、２つ以上の構造間で交互に分配することができる。例えば、色推定機能が第１の構造（例えば、論理回路またはプロセッサ）に対して割り当てられてもよく、また、駆動信号の生成が第２の構造（例えば、第２の論理回路またはプロセッサ）に対して割り当てられてもよい。
【００３３】
幾つかの場合では、色推定システムは、光源の駆動信号を調整するために使用されなくてもよいが、その代わり、他の目的のため（例えば、光源が取り替えられるべき時期を示すため、あるいは、カラーポイントがどのように後処理され或いは修正されるべきかを示すため）に光源の強度またはカラーポイントを監視するシステムに対して色情報（例えば、様々な色の光強度またはカラーポイント）を報告する目的で使用されてもよい。
【図面の簡単な説明】
【００３４】
【図１】混合光の赤色波長、緑色波長および青色波長の強度を測定するための第１の典型的なシステムを示す図である。
【図２】図１のシステムによって検出することができる典型的な赤色光強度、緑色光強度および青色光強度のグラフを示す図である。
【図３】混合光中の赤色光波長の異なる範囲の強度を測定し、それに応じて、混合光の可視赤色波長の強度を推定するための典型的な装置を示す図である。
【図４】図３のシステムによって検出することができる典型的な第１の赤色光強度、第２の赤色光強度、緑色光強度および青色光強度のグラフを示す図である。
【図５】混合光中の赤色光波長および黄色光波長の強度を測定し、それに応じて、混合光の可視赤色波長の強度を推定するための典型的な装置を示す図である。
【図６】図５のシステムによって検出することができる赤色光強度、緑色光強度、青色光強度および黄色光強度の第１の典型的なグラフを示す図である。
【図７】図５のシステムによって検出することができる赤色光強度、緑色光強度、青色光強度および黄色光強度の第２の典型的なグラフを示す図である。
【図８】混合光中の黄色光波長の強度を測定し、それに応じて、混合光の可視赤色波長の強度を推定するための典型的な装置を示す図である。
【符号の説明】
【００３５】
１０２：光源
１０４：赤色素子
１０６：緑色素子
１０８：青色素子
１１０：第１の赤色フィルタ
１１２：緑色フィルタ
１１４：青色フィルタ
１１６：第１の赤色フォトセンサ
１１８：緑色フォトセンサ
１２０：青色フォトセンサ
３００：システム
３０２：第２の赤色フィルタ
３０４：第２の赤色フォトセンサ
３０６：色推定及び／又は制御システム
【図１】
2008249687.tif 000003
【図２】
2008249687.tif 000004
【図３】
2008249687.tif 000005
【図４】
2008249687.tif 000006
【図５】
2008249687.tif 000007
【図６】
2008249687.tif 000008
【図７】
2008249687.tif 000009
【図８】
2008249687.tif 000010
【外国語明細書】
2008249687.tif 000011
2008249687.tif 000012
2008249687.tif 000013
2008249687.tif 000014
2008249687.tif 000015
2008249687.tif 000016
2008249687.tif 000017
2008249687.tif 000018
2008249687.tif 000019
2008249687.tif 000020
2008249687.tif 000021
2008249687.tif 000022
2008249687.tif 000023
2008249687.tif 000024
2008249687.tif 000025
2008249687.tif 000026
2008249687.tif 000027
2008249687.tif 000028
2008249687.tif 000029
2008249687.tif 000030
2008249687.tif 000031
2008249687.tif 000032
2008249687.tif 000033
2008249687.tif 000034
2008249687.tif 000035
2008249687.tif 000036
2008249687.tif 000037
2008249687.tif 000038
2008249687.tif 000039
2008249687.tif 000040